(57)【要約】【課題】鉄道利用者による利用路線情報の事前登録を行わずに、運行遅延情報を鉄道利用者に通知する。【解決手段】携帯電話機が、携帯電話機の所有者が鉄道車両の乗降利用に際して、鉄道改札口装置から、利用路線名等の「車両利用情報」を無線通信装置を介して受信し、当該「車両利用情報」を記録保持し、一方、前記車両運行管理サーバは、運行ダイヤ遅延検出手段を有し、前記運行ダイヤ遅延検出手段により運行ダイヤに規定の範囲以上の運行遅延を検出したとき、当該遅延情報を前記携帯電話機管理サーバへ送信し、前記遅延情報を受信した前記携帯電話機管理サーバは、配下に接続されている全携帯電話機（利用者全員）に当該遅延情報を配信し、前記遅延情報を受信した携帯電話機は、当該遅延情報と、過去の利用状況を記録した前記「車両利用情報」とを照合し、該当する路線名が存在する場合は、緊急メッセージとして、表示部に表示する。【選択図】  図１
2008105516.tif 000002
【特許請求の範囲】
【請求項１】
鉄道車両の運行状況を管理する車両運行管理サーバがインターネットを介して、携帯電話機の接続状況を管理する携帯電話機管理サーバに接続され、前記携帯電話機管理サーバが前記車両運行管理サーバから取得した情報を、配下に接続された携帯電話機に配信する車両運行遅延情報連絡システムであって、
前記携帯電話機は、前記携帯電話機の所有者が鉄道車両の乗降利用に際して、鉄道改札口装置から車両利用情報を受信する無線通信装置と、
前記受信した車両利用情報を記憶保持する手段と、
前記携帯電話機管理サーバから配信される遅延情報と前記車両利用情報とを照合し、該当する路線名が存在する場合は、緊急メッセージとして、表示部に表示する手段とを有し、
前記車両運行管理サーバは、運行ダイヤ遅延検出手段と、
前記運行ダイヤ遅延検出手段により運行ダイヤに規定の範囲以上の運行遅延を検出したとき、当該遅延情報を前記携帯電話機管理サーバへ送信する手段とを有し、
前記携帯電話機管理サーバは、前記受信された遅延情報を、配下に接続された全携帯電話機に配信する手段とを有することを特徴とする車両運行遅延情報連絡システム。
【発明の詳細な説明】
【技術分野】
【０００１】
本発明は、車両運行遅延情報連絡システムに係り、特に、携帯電話機を使用することによって、鉄道利用者による利用路線情報の事前登録を必要とせずに、運行遅延情報を鉄道利用者に通知するシステムに関する。
【背景技術】
【０００２】
従来、鉄道の運行遅延情報を鉄道利用者に通知する方法としては、一般に、鉄道利用者が、利用する路線の情報をあらかじめ利用者情報として鉄道会社側に、登録しておく方法が知られている。（下記、特許文献１参照）
【０００３】
なお、本願発明に関連する先行技術文献としては以下のものがある。
【特許文献１】特開２００４−２３０９７８号公報
【発明の開示】
【発明が解決しようとする課題】
【０００４】
前述した方法によれば、運行遅延情報を得るために、鉄道利用者による事前登録を前提としているため、初期サービス使用の為の敷居が高く、携帯電話機の機能や携帯電話会社の提供するサービスを良く知らない利用者は、運行遅延情報を通知するサービスを利用する事が困難であると言う問題があった。
本発明は、前記従来技術の問題点を解決するためになされたものであり、本発明の目的は、鉄道利用者による利用路線情報の事前登録を行わずに、遅延情報を鉄道利用者に通知する車両運行遅延情報連絡システムを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明においては、携帯電話機が、前記携帯電話機の所有者が鉄道車両の乗降利用に際して、鉄道改札口装置から、利用路線名等の「車両利用情報」を無線通信装置を介して受信し、当該「車両利用情報」を記録保持し、一方、前記車両運行管理サーバは、運行ダイヤ遅延検出手段を有し、前記運行ダイヤ遅延検出手段により運行ダイヤに規定（予め定めた）の範囲以上の運行遅延を検出したとき、当該遅延情報（路線名／遅延時間／遅延理由／回復予定、等々）を前記携帯電話機管理サーバへ送信し、前記遅延情報を受信した前記携帯電話機管理サーバは、配下に接続されている全携帯電話機（利用者全員）に当該遅延情報を配信し、前記遅延情報を受信した携帯電話機は、当該遅延情報と、過去の利用状況を記録した前記「車両利用情報」とを照合し、該当する路線名が存在する場合は、緊急メッセージとして、表示部に表示する。
【発明の効果】
【０００６】
本願において開示される発明のうち代表的なものによって得られる効果を簡単に説明すれば、下記の通りである。
本発明の車両運行遅延情報連絡システムによれば、鉄道利用者による利用路線情報の事前登録を行わずに、運行遅延情報を鉄道利用者に通知することが可能となる
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の車両運行遅延情報連絡システムの概略構成を示すブロック図である。
図１において、１００は車両運行管理サーバ、１０１は携帯電話機管理サーバ、１０２はインターネットなどのネットワーク、１０３は携帯電話機、１０４は携帯電話機内の無線通信装置、１０５はデータ保存部、１０６は改札口装置を示す。
図２は、本実施例の車両利用情報のデータフォーマットを示す図である。
図２において、２００は１件の車両利用情報、２０１は乗車駅名情報、２０２は降車駅名情報、２０３は降車日時情報、２０４は関連路線名情報を示す。
図３は、本実施例の車両運行遅延情報のデータフォーマットを示す図である。
図３において、３００は１件の車両運行遅延情報、３０１は遅延路線名情報、３０２は遅延理由情報、３０３は遅延時間情報、３０４は回復見込情報を示す。
【０００８】
次に、図１〜４を用いて、本実施例の車両運行遅延情報連絡システムにおいて、車両運行遅延情報を携帯電話機利用者に通知させる方法について説明する。
図４は、図１に示す携帯電話機１０３における、「車両利用情報」更新時の処理手順を示すフローチャートである。
先ず、携帯電話機利用者が車両利用情報を蓄積する方法について説明する。
携帯電話機１０３は、携帯電話機利用者が改札口を出札する際に、携帯電話機内の無線通信装置１０４を介して、車両利用情報２００を、改札口装置１０６より受信する（ステップ４００）。当該受信した車両利用情報はデータ保存部１０５に記憶保持される。
データ保存部１０５には、複数の車両利用情報を格納することができ、その件数の上限は予め定められているものとする。
改札口装置１０６が、携帯電話機１０３に車両利用情報を送信した際、携帯電話機１０３では、１件の車両利用情報を取得する。
車両利用情報には、乗車駅名情報２０１、降車駅名情報２０２、降車日時情報２０３、関連路線名情報２０４が含まれている。
複数の路線を乗り継いだ場合や、乗車駅から降車駅に向かう経路が複数存在する場合を考慮して、関連路線名情報には複数の路線名情報を含める事ができる。
【０００９】
次に、既に携帯電話機１０３に記憶保持されている車両利用情報の中に、新規に受信した車両利用情報と、乗車駅名情報と降車駅名情報が両方同じ車両利用情報が存在するか否かを確認する（ステップ４０１）。
ステップ４０１において、乗車駅名情報と降車駅名情報が両方同じ車両利用情報が存在している場合には、新規に受信した車両利用情報と、乗車駅名情報と降車駅名情報が両方同じ車両利用情報を１件、データ保存部１０５より削除し（ステップ４０２）、ステップ４０５に進む。
ステップ４０１において、乗車駅名情報と降車駅名情報が両方同じ車両利用情報が存在していない場合は、予め定められたデータ保存部１０５の最大件数と、現在携帯電話機１０３が保持している車両利用情報の件数を比較し、保持している車両利用情報の件数がデータ保存部の最大件数に達しているか否かを判断する（ステップ４０３）。なお、ステップ４０３においては、新規受信した車両利用情報は、保持している車両利用情報の件数に含ませない。
ステップ４０１において、保持している車両利用情報の件数がデータ保存部の最大件数に達している場合には、最も古い車両利用情報を削除する（ステップ４０４）。
ステップ４０４では、データ保存部１０５に格納されている全ての車両利用情報の中から、降車日時情報の値が最も小さい（日付計算）１件を抽出し、データを削除する。
ステップ４０１において、保持している車両利用情報の件数がデータ保存部の最大件数に達していない場合には、改札口装置１０６より受信した車両利用情報をデータ保存部１０５に格納する。
【００１０】
次に、車両運行遅延情報を携帯電話機１０３で受信する方法について説明する。
車両運行遅延情報のデータは、図３に示した通りで、遅延路線名情報３０１、遅延理由情報３０２、遅延時間情報３０３、回復見込情報３０４とから構成される。
鉄道車両の運行状況を管理する車両運行管理サーバ１００は、運行ダイヤ遅延検出機能を有し、運行ダイヤに規定（予め定めた）の範囲以上の運行遅延を検出したとき、車両運行遅延情報をネットワーク１０２を介して、携帯電話機管理サーバ１０１に送信する。
携帯電話機の接続状況を管理する携帯電話機管理サーバ１０１は、車両運行管理サーバ１００から受信した車両運行遅延情報を、管理する全ての携帯電話機１０３にネットワーク１０２を介して送信する。
車両運行遅延情報を受信した携帯電話機１０３は、データ保存部１０５に保持している全ての車両利用情報を読み込み、送信されてきた車両運行遅延情報の遅延路線名情報と同じ情報が、車両利用情報の関連路線名情報に含まれている場合に、緊急メッセージとして、携帯電話機１０３の表示部の規定の表示エリアに表示する。
なお、携帯電話機管理サーバ１０１から車両運行遅延情報が配信される携帯電話機１０３は、携帯電話機１０３の所有者が予め携帯電話機管理サーバ１０１に登録していてもよいものとする。
このように、本実施例によれば、従来必要であった、鉄道利用者による事前の利用路線情報の通知・登録をすることなく、利用する路線の車両運行遅延情報を利用者が取得することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例の車両運行遅延情報連絡システムの概略構成を示すブロック図である。
【図２】本発明の実施例の車両利用情報のデータフォーマットを示す図である。
【図３】本発明の実施例の車両運行遅延情報のデータフォーマットを示す図である。
【図４】図１に示す携帯電話機における、「車両利用情報」更新時の処理手順を示すフローチャートである。
【符号の説明】
【００１２】
１００  車両運行管理サーバ
１０１  携帯電話機管理サーバ
１０２  ネットワーク
１０３  携帯電話機
１０４  携帯電話機内の無線通信装置
１０５  データ保存部
１０６  改札口装置
２００  １件の車両利用情報
２０１  乗車駅名情報
２０２  降車駅名情報
２０３  降車日時情報
２０４  関連路線名情報
３００  １件の車両運行遅延情報
３０１  遅延路線名情報
３０２  遅延理由情報
３０３  遅延時間情報
３０４  回復見込情報
【図１】
2008105516.tif 000003
【図２】
2008105516.tif 000004
【図３】
2008105516.tif 000005
【図４】
2008105516.tif 000006